(57)【要約】【課題】  この発明は、紫外線の照射等により蛍光発色を生じる植物および該植物を利用する装飾方法に関するものである。【解決手段】  蛍光成分を植物に塗布することにより、暗中で蛍光発光する植物を作成すること、および前記植物に紫外光を照射せしめて可視光を発光させる。【選択図】  図３
2005238809.tif 000002
【特許請求の範囲】
【請求項１】
生育中の植物の葉、花弁の表面または茎に蛍光成分を塗布したことを特徴とする蛍光染色植物
【請求項２】
請求項１記載の蛍光染色植物に紫外光を照射して可視光を発光させることを特徴とする装飾方法
【請求項３】
異なる色の可視光を発光する複数の種類の蛍光成分を塗布した蛍光染色植物であることを特徴とする請求項１記載の蛍光染色植物
【発明の詳細な説明】
【発明の詳細な説明】
【技術分野】
【０００１】  本発明は、インテリア等に用いる植物および該植物を利用する装飾方法に関する。
【背景技術】
【０００２】  従来、ドライフラワー、乾燥植物、造花に蛍光染料をコーティングして、暗中で蛍光発光させる観賞用植物を作成することが、例えば特開２０００−１４０７４７に提案されている。
【特許が解決しようとする課題】
【０００３】  しかし、前記の植物はいわば死んだ植物であり、暗中で下では蛍光発光を鑑賞して楽しむことができるが、日中に人への癒しを与える生育中の植物としての効果を与えることができなかった。一方、通常の鉢植え等の生育中の植物は日中は花や葉の形状や色を鑑賞することはできるが、暗中では不可能であった。
【０００４】  本発明は上記問題点を解消するもので、日中および暗中でも鑑賞することが可能な植物を提供するものである。
【課題を解決するための手段】
【０００５】  本願の第１の発明は、生育中の植物の葉、花弁の表面または茎に蛍光成分を塗布したことを特徴とする蛍光染色植物からなるものである。
【０００６】  本願の第２の発明は、前記蛍光成分を塗布した蛍光染色植物に紫外光を照射して可視光を発光させることを特徴とする装飾方法からなるものである。
【０００７】  本願の第３の発明は、異なる色の可視光を発光する複数の種類の蛍光成分を塗布した蛍光染色植物からなるものである。
【発明を実施するための最良の形態】
【０００８】  以下、本発明の詳細について説明する。図中の同一の番号は、同一の機能を有する。
本発明の第１の実施形態を図１、２に示して説明する。
図１は、鉢植え等の生育している植物への実施の１つの例である。
図１は日中の図であり、観葉植物１は、植木鉢２に植えられている。観葉植物１は、葉４の表面および茎３にのみ、蛍光成分を含有する蛍光染料が塗布される。植木鉢２の近傍には、図示しない支持具により、紫外光を発光するリング状のブラックライト５が配置される。日中は、ブラックライト５は点灯せず、通常の観葉植物として、鑑賞することができる。【０００９】  図２は暗中での植物１の図である。ブラックライト５が点灯され、紫外光が植物１に照射され、蛍光染料が塗布されている葉４の表面および茎３のみが可視光を発光する。この蛍光成分を塗布した観葉植物とブラックライトを組み合わせた装飾品は、従来にない光る植物として、新規な室内インテリアとしての価値を有するものである。日中は通常の観葉植物として鑑賞していたものが、暗中または夜間で発光するということで、従来にないインパクトのある植物インテリアとして利用することができる。【００１０】  蛍光成分を観葉植物に塗布する方法として、前記、特開２０００−１４０７４７では、ディッピング方法等により植物全体に蛍光成分をコーティングする等が提案されている。しかしながら、このような方法はドライフラワー等の死んだ植物には適用できるが、本発明における生育している植物に適用すると植物は気孔が塞がれ呼吸ができず、枯れてしまう。このため、気孔の分布が多い葉の裏面には蛍光成分を塗布せず、葉の表面や茎の部分のみに塗布することが重要である。このため、刷毛、スプレー等を用いて、葉の裏側に蛍光成分が付着しないように注意深く塗布する。このようにして、塗布した植物は、枯れたり落葉することなく、長期間生育することが可能である。【００１１】  生育している植物に塗布する蛍光染料としては、有機溶剤に溶かしたものではなく、水に溶かしたものであればどのようなものも使用可能である。例えば、水性の蛍光染料である日本化薬株式会社の商品名「Ｋａｙａｐｈｏｒ」、住化ケムテックス株式会社の商品名「Ｗｈｉｔｅｘ」等の蛍光染料等があり、これらを水に溶解して使用する。
植物の表面は、クチクラ層と呼ばれるロウ状の組織があり水をはじく場合があるので、必要により少量の界面活性剤を添加しても良い。【００１２】  紫外線は一般に波長１０ｎｍ〜３８０ｎｍの光の総称であり、蛍光成分の吸収波長域の発光スペクトルを有するものであれば、どのようなものでも光源として使用し、暗中で蛍光成分を発光させることは可能である。しかしながら、波長によっては、人体への悪影響を及ぼすため、いわゆる近紫外線またはＵＶ−Ａと呼ばれる３１５ｎｍ〜４００ｎｍの波長の紫外線を発する紫外線ランプを使用することが好ましい。このような紫外線ランプとしては、例えばＮＥＣライティング株式会社より商品名「ブラックライトブルー（ＢＬ−Ｂ）」、東芝ライテック株式会社より商品名「ブラックライト蛍光ランプ」等が利用できる。【００１３】  また、本発明における蛍光成分は、紫外線を照射されることで可視光を発光するものたけでなく、自ら蛍光を発光する、いわゆる蓄光性顔料の使用も含まれる。蓄光性顔料は、日中の照射された光のエネルギーを吸収し、夜間に発光するものであり、例えば、ＴＤＯグラフィックス株式会社（東京都千代田区）より珪素アルミン酸塩蓄光顔料である商品名「ＴＤＯヒカリマス」、根本特殊化学株式会社（東京都杉並区）より、アルミン酸塩化合物である商品名「Ｎ発光（ルミノーバ）」等が販売されている。植物に塗布する場合、水に分散して塗布するため、顔料の耐水度が不十分な場合には、必要に応じて蓄光顔料の表面に耐水性のコーティング処理を行う必要があるが、特に珪素アルミン酸塩蓄光顔料は、耐水性があるのでコーティング処理が不要なので好的に使用される。【００１４】  前記のような蓄光性成分を用いる場合には、紫外光を発する照明装置が不要になるので、電気配線や乾電池の交換等が不要となり、簡便に蛍光を発する植物のインテリアとすることができる。あるいは、庭園等の戸外の植物にも適用することができ、種々の場所に設置することができる。【００１５】  本発明の第２の実施形態を図３、４に示して説明する。
図３は、白い花を有する鉢植え等への実施例の１つである。
図３において、白色のポインセチア６は略楕円球状の透明プラスチックの容器７の中に配置されている。ポインセチア６は、上部に白色の６枚の花苞（かほう）８ａ、８ｂ、８ｃ、８ｄ、８ｅ、８ｆ、下部に緑色の葉９を有している。可視光下では無色であるが紫外線が当たるとブルー色光を発する蛍光成分が花苞８ａと８ｄの表面に、グリーン色光を発する蛍光成分が花苞８ｂと８ｅの表面に、レッド色光を発する蛍光成分が花苞８ｃと８ｆの表面に、塗布される。【００１６】  容器７の上部には、ＵＶユニット１１が配置される。ＵＶユニット１１中には、乾電池１２と電子回路１３が入っている。ＵＶユニット１１の下部には複数の紫外線ＬＥＤ１４が上部には光センサー１５が取り付けられる。ＵＶユニット１１の光センサー１５は、周囲環境の明るさを検知しており、容器２の周囲が暗くなり、設定した値よりも明るさが低下すると電子回路１３により自動的に電圧が紫外線ＬＥＤ１４に印加され、紫外光が照射される。【００１７】  図４は、夜間における、ポインセチア６の図である。紫外線ＬＥＤ１４より、紫外光がポインセチア６に照射され、花苞８ａと８ｄがブルーに、花苞８ｂと８ｅがグリーンに、花苞８ｃと８ｆがレッドに発光する。このように、日中では、同じく白色だった花苞が夜間になると、異なる色に発光する観葉植物はこれまでにはなく、インパクトのある観葉インテリアとすることができる。【００１８】  さらに、紫外線ＬＥＤ１４の半数を白色ＬＥＤとし、電子回路１３により、暗中で白色ＬＥＤと紫外線ＬＥＤを一定時間毎に交互に点灯するようにすると、日中での自然光での通常のポインセチアの姿と紫外光での蛍光色を発光するポインセチアの姿が交互に現れるので、その違いを明瞭に提示でき、強い印象を与えることができる。ポインセチアは特にクリスマスの観葉インテリアとして用いられるので、このような装飾方法はクリスマスの夜の幻想的な装飾として絶大な効果をもたらす。【００１９】  ここで用いた蛍光成分としては種々のものが使用可能であり、例えば可視光下では実質的に無色または白色であり、紫外線下で異なった色を発光するものとして、シンロイヒ株式会社より水性蛍光顔料として、グリーン発光の「ＭＬＣＢ−１２」、ブルー発光の「ＭＬＣＢ−１３」、レッド発光の「ＭＬＣＢ−１８」が販売されている。あるいは、同社より、前記蛍光顔料を用いた蛍光塗料である、商品名「マジックルミノペイント  グリーン」、「マジックルミノペイント  ブルー」、「マジックルミノペイント  レッド」を用いても良い。【００２０】  本実施例においては、装飾効果を上げるために花苞の表面にのみ、蛍光成分を塗布した。葉にも蛍光成分を塗布することが可能であるが、植物の呼吸を妨げないように、気孔の数量の分布の多い葉の裏面には塗布せず業の表面のみに塗布する。【００２１】  本実施例では、白色の花苞に異なった色の発光の蛍光成分を塗布したが、白色の葉、花弁を持つ植物であれば、どのような植物にも適用することが可能である。白色の花弁の植物としては、バラ、ユリ、シクラメン、ラン、カラー等がある。【００２２】  これらの白色の花を用いた他の実施例として、例えば結婚式の各テーブル上に、前記の花の花弁に蛍光成分を塗布���た植木鉢を配置しておき、これらの植木鉢の中央にローソクを取り付け、さらに花嫁のキャンドルサービスのキャンドルに紫外線ＬＥＤを組み込んでおけば、花嫁がテーブルを回ってローソクに点火するために、キャンドルをローソクに近づけると花が各色に発色して、会場の雰囲気を大いに盛り上げるという効果を得ることができる。【００２３】  白色の葉を持つ植物としては、葉全体が白色である必要はなく、いわゆる斑入りの葉を持つ、ベンジャミン、ポトス、カラジウム、カンノンチク等を用いることができる。この場合、白色の部分にのみ筆で蛍光成分を塗布すればよい。白色の斑入りの部分は葉緑素がない部分なので塗布しても、光合成に影響はなく植物の生育への悪影響を低減することができる。また、葉全体が発光するよりも、部分的に葉が発光する方が幻想的なインテリアとして装飾的に有利である。【００２４】  本実施例では、紫外線ＬＥＤを紫外線光源として使用した。紫外線ＬＥＤは小型軽量であり、低電圧の直流電圧を印加するだけで、高強度の紫外線を発光するため照明装置をコンパクトにすることができるとともに、種々の形状の紫外線照射装置を製作できる。また、本実施例のように乾電池で動作するため、１００Ｖ電源に接続することが不要であり、どのような場所にでも簡単に設置することができる。このような、紫外線ＬＥＤのデバイスとしては、例えばナイトライド・セミコンダクター株式会社より、ＮＳ３６５Ｄ（ピーク波長３６５ｎｍ）、ＮＡ３７０Ｄ（ピーク波長３７０ｎｍ）、ＮＳ３７５Ｄ（ピーク波長３７５ｎｍ）が販売されており、使用する蛍光材料の吸収波長に合わせて最適な波長分布のものを選定すれば良い。しかしながら、紫外線ランプ等の他の紫外線光源を用いても良いことは言うまでもない。【００２５】  本発明で使用される植物は、草本類、木本類等どのような種類でものでも利用できる。さらに、鉢植え、立木等の根を持ち生育しているものだけではなく、根を切断した後でも依然として吸水機能を有して、生育している切花等の植物も含まれる。【００２６】  前記のように、本発明における蛍光成分としては、蛍光染料、蛍光顔料、蓄光顔料等が用いられる。溶解、微粒子あるいはエマルジョンとして分散等種々の形態で利用可能がある。【００２７】  本発明における蛍光成分を含有する溶液としては、生育している植物に使用する場合には、溶媒として水だけを使用することが望ましいが、アルコール類のような水に溶解する溶媒との混合物としても良い。
【発明の効果】
【００２８】  本発明によれば、蛍光成分を植物に塗布して、植物に蛍光成分を保持させ、暗中で紫外線を植物に照射することによる蛍光染料、蛍光顔料を発光させる、あるいは蓄光性顔料の自発光により植物を発光させることにより、植物の新規な装飾効果を得ることができる。
【図面の簡単な説明】
【００２９】
【図１】  本発明の第１の実施形態に係わる日中の鉢植えの植物の図である。
【図２】  本発明の第１の実施形態に係わる暗中の鉢植えの植物の図である。
【図３】  本発明の第２の実施形態に係わる日中の鉢植えのポインセチアの図である。
【図４】  本発明の第２の実施形態に係わる暗中の鉢植えのポインセチアの図である。
【符号の説明】
１  観葉植物
２  植木鉢
５  ブラックライト
６  ポインセチア
８ａ、８ｂ、８ｃ、８ｄ、８ｅ、８ｆ  花苞（かほう）
１１  ＵＶユニット
１４  紫外線ＬＥＤ
１５  光センサー
【図１】
2005238809.tif 000003
【図２】
2005238809.tif 000004
【図３】
2005238809.tif 000005
【図４】
2005238809.tif 000006